(57)【要約】【課題】本発明は、マルチビュー表示方式であり、かつ、反射手段を用いて同一方向表示を可能とする表示装置であって、さらに、マルチビュー表示の状態であっても簡素な構成でコンパクト化を図ることが可能な表示装置と、その代表的な利用技術とを提供する。【解決手段】本発明にかかる表示装置は、マルチビュー表示部１００と、ハーフミラー２００とを備える。ハーフミラー２００は、マルチビュー表示部１００が第２方向に向けて表示した第２画像を反射する。これにより、第１方向に向けて表示した第１画像を視認できる位置から、第１画像と、第２画像とを同時に視認することを可能とする。また、ハーフミラー２００は、マルチビュー表示部１００の表示画面の前面を覆う位置にあるとき、マルチビュー表示部１００からの表示画像を透過させる。これにより、ハーフミラー２００により、マルチビュー表示部１００の表示画面の前面を覆っている状態でも、マルチビュー表示部１００からの表示画像の視認を可能とする。【選択図】図２
2007298838.tif 000002
【特許請求の範囲】
【請求項１】
複数の画像を複数の表示方向に同時に表示可能とする表示手段と、当該表示手段に表示される少なくとも一つの画像を、当該画像の表示方向とは異なる方向に反射させる反射手段とを備える表示装置であって、
さらに、上記反射手段を、表示手段の表示画面に対する相対的な位置を移動可能に配置する移動配置手段を備えているととともに、
当該移動配置手段による反射手段の配置位置には、上記表示方向とは異なる方向に画像を反射する反射位置と、上記表示画面を覆う被覆位置との少なくとも２種類の位置が含まれることを特徴とする表示装置。
【請求項２】
上記移動配置手段は、上記反射手段による画像の反射方向を複数設定できるように反射手段を移動可能とすることを特徴とする請求項１に記載の表示装置。
【請求項３】
上記移動配置手段は、上記反射手段を表示画面の裏側に移動可能とすることを特徴とする請求項１または２に記載の表示装置。
【請求項４】
上記反射手段は、装置本体から取り外し可能となるように移動配置手段に支持されていることを特徴とする請求項１ないし３の何れか１項に記載の表示装置。
【請求項５】
上記移動配置手段は、反射手段および表示手段の縁部の一部を互いに接続するヒンジ部材を含むことを特徴とする請求項１ないし４の何れか１項に記載の表示装置。
【請求項６】
上記反射手段として、上記表示手段に表示される複数の画像のうち、少なくとも一つを透過可能とする透過可能反射手段を用いることを特徴とする請求項１ないし５の何れか１項に記載の表示装置。
【請求項７】
上記透過可能反射手段は、被覆位置において表示方向の異なる全ての画像を透過可能とすることを特徴とする請求項６に記載の表示装置。
【請求項８】
上記透過可能反射手段としてハーフミラーが用いられることを特徴とする請求項６または７に記載の表示装置。
【請求項９】
上記反射手段の配置位置に応じて、画像の表示状態を変更する表示状態変更手段を備えることを特徴とする請求項１ないし８の何れか１項に記載の表示装置。
【請求項１０】
さらに、上記反射手段の配置位置を検出し、表示状態変更手段に出力する位置検出手段を備えることを特徴とする請求項９に記載の表示装置。
【請求項１１】
上記表示状態変更手段は、反射手段が被覆位置に配置されるときには、複数の画像を複数の表示方向に同時に表示するマルチビュー表示で、表示手段に画像を表示させることを特徴とする請求項９または１０に記載の表示装置。
【請求項１２】
さらに、元の画像データである一次画像データに画像処理を施して、二次画像データを生成する画像処理手段を備えており、
上記表示状態変更手段は、反射手段が反射位置に配置されるときには、反射方向に応じて上記画像処理手段により二次画像データを生成させ、当該二次画像データを用いて表示手段に画像を表示させることを特徴とする請求項９ないし１１の何れか１項に記載の表示装置。
【請求項１３】
上記反射位置が画像を鏡像反転して反射する位置であれば、上記画像処理手段として、表示用の画像データを用いて、元の画像を鏡像反転した反転画像に対応する反転画像データを生成する鏡像反転処理手段を備えることを特徴とする請求項１２に記載の表示装置。
【請求項１４】
上記表示方向の異なる複数の画像には、反射手段により反射される反射画像と、反射されない非反射画像とが含まれており、
上記移動配置手段による反射手段の反射位置には、反射画像の反射方向と非反射画像の表示方向とを一致させる、統一反射位置が含まれており、さらに、
上記反射位置が統一反射位置であれば、反射画像および非反射画像が一つの統一画像として視認可能となっているとともに、
上記画像処理手段として、一つの画像を分割して上記反射画像および非反射画像に分けて表示手段に表示させることにより、視認される統一画像を、元の画像の拡大画像とする拡大表示処理手段を備えることを特徴とする請求項１２または１３に記載の表示装置。
【請求項１５】
上記拡大表示処理手段は、表示用の画像データを用いて、一つの画像を複数に分割した部分画像にそれぞれ対応する部分画像データを生成するとともに、
当該部分画像データから、拡大倍率に応じて部分画像を伸張させた伸張画像データを生成し、
各伸張画像データを、反射画像または非反射画像に分類してそれぞれ表示手段に出力することを特徴とする請求項１４に記載の表示装置。
【請求項１６】
上記表示手段の表示画面内となる位置に回転軸を設けることにより、表示手段そのものを回転可能とする表示手段回転手段を備えることを特徴とする請求項１ないし１５の何れか１項に記載の表示装置。
【請求項１７】
上記表示手段は、複数の画像のうち、反射されない非反射画像よりも反射手段により反射される反射画像の輝度を高く表示することを特徴とする請求項１ないし１６の何れか１項に記載の表示装置。
【請求項１８】
さらに、外部から画像情報を入力し、当該画像情報に基づいて上記表示手段に画像を表示させる画像情報入力手段を備えることを特徴とする請求項１ないし１７の何れか１項に記載の表示装置。
【請求項１９】
上記画像情報入力手段が、選択されたチャンネルのテレビ画像信号を上記表示手段に伝送するチューナー手段であるか、または、外部から入力された画像情報としての信号を上記表示手段に伝送する信号入力手段であることを特徴とする請求項１８に記載の表示装置。
【請求項２０】
請求項１〜１９の何れか１項に記載の表示装置を備えることを特徴とする情報処理装置。
【請求項２１】
携帯型情報端末であることを特徴とする請求項２０に記載の情報処理装置。
【請求項２２】
請求項１〜１９の何れか１項に記載の表示装置を備えることを特徴とする通信装置。
【請求項２３】
携帯電話であることを特徴とする請求項２２に記載の通信装置。
【発明の詳細な説明】
【技術分野】
【０００１】
本発明は同一の表示画面から、複数の表示方向それぞれに、互いに異なる複数の画像を同時に表示するマルチビュー表示を可能とするとともに、複数方向から同一方向へ表示状態を切り替えることを可能とする表示装置と、これを備える情報処理装置および通信装置とに関するものである。
【背景技術】
【０００２】
従来の表示装置は、１つの表示画面に対して１つの画像を表示するものが主流である。このような表示装置では、一般に、表示装置の正面や、横、斜め方向のいずれの方向から表示画面を見ても、同一の画像を視認することが可能である。
【０００３】
一方、近年、１つの表示装置の１つの表示画面を用いて、異なる複数の画像を複数の表示方向に同時に表示する、いわゆるマルチビュー表示方式を実現する技術がいくつか提案されている。例えば、そのような技術の一例としては、表示画面の視野角を制御する技術（説明の便宜上、視野角制御技術と称する）が挙げられる。
【０００４】
上記視野角制御技術では、視差バリアと呼ばれる視野角制御手段を用いることにより、特定の表示画像に対して特定の視野角を与える。それゆえ、１つの表示装置で、より多くの情報を表示することが可能となる。例えば、１つの表示画面で、二人以上の使用者が、互いに異なる画像を視認することが可能になる。具体的な用途の一例としては、例えば、上記視野角制御技術を、例えば、カーナビゲーションシステムに用いることが挙げられる。これにより、運転席側と助手席側とのそれぞれに、ナビゲーション画面とテレビ番組等といった互いに異なる画像を同時に表示することが可能となる。このように、上記視野角制御技術は、すでに実用化されており、特にカーナビゲーションシステム等で好適に用いられている。
【０００５】
ところで、上記のマルチビュー表示技術を備えた表示装置の画像を、例えば一人で視認する場合、使用者が視認する方向とは別の方向の画面表示が意味のないものとなってしまう。そこで、マルチビュー表示方式の表示装置において、複数の画像を同一方向から視認することを可能とする技術が提案されている。
【０００６】
そのような技術として、例えば、特許文献１には、反射手段を用いた技術が開示されている。この技術では、表示装置は、異なる画面である第１画面と第２画面とを、第１方向と反射板の方向である第２方向とに表示する。表示装置が第２方向に表示した画像は、反射板に入射されて第１方向と平行の方向に反射され、閲覧者は、表示装置から第１方向に表示された画像と、第２方向に表示されて反射板から第１方向と平行に反射された画像とを視認する。
【０００７】
さらに特許文献２には、マルチビュー表示方式において反射手段を用いることで、イメージのサイズをディスプレイスクリーンの物理的サイズよりも大きくする技術が開示されている。
【０００８】
具体的には、第１のイメージからの光を第１の観察方向に方向付け、第２のイメージからの光を該第１の方向とは異なる第２の観察方向に方向付けるマルチビューディスプレイデバイスを備えている。第２のイメージからの光は、第２の方向に方向付けられ、鏡または鏡手段のような反射手段によって反射される。この光は、観察領域において第１の方向と交差する第３の方向に反射され、それにより、観察者は、仮想イメージとして、直接的なイメージに沿った第２のイメージを見ることができる。また、上記反射手段は、使用していない時は、コンパクトになるように可動であり、例えば、イメージの表示に追加のエリアが必要とされないか、または、ディスプレイが使用中でない場合にしまい込むことが可能となっている。
【０００９】
なお、上記特許文献１または２に開示される技術では、表示装置が鏡等の反射手段を備えているので、表示装置全体として見れば、反射手段という付加的な構成を備えることに伴う大型化（または大容積化）が生じることになる。このような大型化は、特に液晶ディスプレイ等のフラットパネルディスプレイ（ＦＰＤ）においては回避または抑制されることが好ましい。
【００１０】
すなわち、近年、ＦＰＤの需要が拡大しているが、その理由の一つには、表示装置の省スペース化の要求が含まれる。また、表示装置は、それ単独で用いられるわけではなく、例えば携帯電話や各種携帯端末、携帯型ゲーム機、あるいはノートパソコンのように、携帯型の通信装置や情報処理装置の表示部としても広く用いられる。それゆえ、表示装置としての利用分野をより広くするためには、大型化は回避することが望ましい。
【００１１】
特許文献１に開示される技術は、表示装置の大型化の回避を課題としていないため、表示装置のコンパクト化（または小型化）を図るための具体的な手法は特に開示していない。一方、特許文献２に開示される技術では、よりコンパクトなパッケージを提供することも考慮されているので、反射手段（鏡）をしまい込むことが可能となっている。
【特許文献１】特開２００５−８４２９９号公報（平成１７（２００５）年３月３１日公開）
【特許文献２】特開２００５−９９７８７号公報（平成１７（２００５）年４月１４日公開）
【発明の開示】
【発明が解決しようとする課題】
【００１２】
上記マルチビュー表示方式の表示装置において、複数の画像を同一方向から視認させることを可能にするということは、言い換えれば、マルチビュー表示と、同一方向表示という２種類の表示状態を切り替え可能としていることになる。さらに、複数方向から同一方向へ表示状態を切り替えるために、反射手段を用いれば、表示装置のコンパクト化という課題は必然的に生じる。
【００１３】
しかしながら、上記従来の技術では、表示状態の切り替えと表示装置のコンパクト化とを両立させることについては想定していない。
【００１４】
すなわち、特許文献１では、コンパクト化の課題そのものを想定していない（出願時点では想定する必要がなかった）。一方、特許文献２では、コンパクト化を考慮しているものの、コンパクト化という課題と表示状態の切り替えという課題とは十分に関連付けられていない。
【００１５】
具体的には、特許文献２では、追加のエリアが必要とされないか、または、ディスプレイが使用中でない場合に反射手段（鏡）をしまい込むこと、並びに、ヒンジ手段を用いて、デバイスに対して実質的に平坦であるか、または、デバイスの遠くに反射手段を折り畳むことを開示している。言い換えれば、特許文献２では、同一方向表示の状態で反射手段を用いればよく、それ以外の状態では、反射手段をどこかにしまい込めばよいことを開示しているに過ぎない。これは、特許文献２に開示される技術は、イメージのサイズの拡大することを基本的な課題としているため、反射手段のしまい込みに関しては詳細に検討する必要がないためである。
【００１６】
これに対して、同一方向表示の状態や画像を表示していない状態はともかく、マルチビュー表示においては、反射手段の取り扱いは、装置のコンパクト化や装置構成の簡素化に大きく影響することになる。
【００１７】
本発明は上記課題に鑑みなされたものであって、マルチビュー表示方式であり、かつ、反射手段を用いて同一方向表示を可能とする表示装置であって、さらに、マルチビュー表示の状態であっても簡素な構成でコンパクト化を図ることが可能な表示装置と、その代表的な利用技術とを提供することにある。
【課題を解決するための手段】
【００１８】
本発明者らは、上記課題を鑑み鋭意検討した結果、同一方向表示を実現するために反射手段を用いる場合に、当該反射手段を、表示画面を覆う位置に配置できるようにすることで、マルチビュー表示と同一方向表示とを容易に切り替えることが可能であるだけでなく、装置構成の複雑化を回避し、さらに、表示画面の保護や表示品位の向上を図ることが可能であることを独自に見出し、本発明を完成させるに至った。
【００１９】
本発明にかかる表示装置は、上記課題を解決するために、複数の画像を複数の表示方向に同時に表示可能とする表示手段と、当該表示手段に表示される少なくとも一つの画像を、当該画像の表示方向とは異なる方向に反射させる反射手段とを備える表示装置であって、さらに、上記反射手段を、表示手段の表示画面に対する相対的な位置を移動可能に配置する移動配置手段を備えているととともに、当該移動配置手段による反射手段の配置位置には、上記表示方向とは異なる方向に画像を反射する反射位置と、上記表示画面を覆う被覆位置との少なくとも２種類の位置が含まれることを特徴としている。
【００２０】
上記構成によれば、上記反射手段は、上記移動配置手段により、上記表示手段の表示画面に対する相対的な位置を移動することが可能である。また、上記構成によれば、上記反射手段の配置位置には、上記反射位置と被覆位置が含まれている。上記反射位置では、上記表示手段に表示される少なくとも一つの画像を、当該画像の表示方向とは異なる方向に反射させることが可能である。それゆえ、反射手段の配置位置を反射位置または被覆位置に変えることで、マルチビュー表示と同一方向表示との切り替えが可能であるとともに、上記被覆位置では、上記表示装置全体をコンパクトにすることができる。それゆえ、上記表示装置の携帯や収納が容易となる。
【００２１】
また、上記被覆位置では、表示画面の前面を覆うことが可能であるため、液晶パネルを保護することも可能となる。
【００２２】
上記表示装置においては、上記移動配置手段が、上記反射手段による画像の反射方向を複数設定できるように反射手段を移動可能とすることが好ましい。
【００２３】
上記本発明の構成によれば、上記移動配置手段を用いて上記反射手段を移動させることにより、上記反射手段による画像の反射方向を複数設定することができる。それゆえ、上記反射手段により反射された反射画像を様々な方向から視認することができる。
【００２４】
上記表示装置においては、上記移動配置手段が、上記反射手段を表示画面の裏側に移動可能とすることが好ましい。
【００２５】
上記構成によれば、上記反射手段は、上記移動配置手段により、上記反射手段を上記表示画面の裏側に移動可能である。したがって、使用者は、上記反射手段で上記表示手段からの表示画像を反射させる必要がないとき、例えば、上記反射手段によって反射された画像を視認しないとき、上記反射手段を、上記表示手段の表示画面の裏側に移動させることが可能である。それゆえ、上記反射手段をコンパクトにしまい込んだ状態で、上記表示手段による表示画像を視認することができる。
【００２６】
上記表示装置においては、上記反射手段が、装置本体から取り外し可能となるように移動配置手段に支持されていることが好ましい。
【００２７】
上記構成によれば、上記反射手段と上記表示手段とを、接続したり、切り離したりすることを自由に行うことが可能である。よって、使用者は、上記反射手段で上記表示手段からの表示画像を反射させる必要がないとき、例えば、上記反射手段によって反射された画像を視認しないとき、上記反射手段を取り外し、当該反射手段を所望の場所、例えば、邪魔にならない場所に移動させることができる。
【００２８】
上記表示装置においては、上記移動配置手段が、反射手段および表示手段の縁部の一部を互いに接続するヒンジ部材を含むことが好ましい。
【００２９】
上記構成によれば、上記表示手段の表示画面に対する上記反射手段の相対的な位置が変化できるように、上記ヒンジ部材によって上記反射手段と上記表示手段とが接続される。それゆえ、上記反射手段の配置位置を、自由に変えることができる。
【００３０】
上記表示装置においては、上記反射手段として、上記表示手段に表示される複数の画像のうち、少なくとも一つを透過可能とする透過可能反射手段を用いることが好ましい。
【００３１】
上記構成によれば、上記透過可能反射手段により、上記表示手段に表示される複数の画像のうち、少なくとも一つが透過可能である。それゆえ、上記透過可能反射手段で、上記表示手段の表示画面の前面を覆った場合であっても、上記表示手段からの表示画像を視認することができる。
【００３２】
上記表示装置においては、上記透過可能反射手段が、被覆位置において表示方向の異なる全ての画像を透過可能とすることが好ましい。
【００３３】
上記構成によれば、上記被覆位置では、上記表示手段によってあらゆる方向に向かって表示される画像の全てが、上記透過可能反射手段を透過する。それゆえ、上記透過可能反射手段が上記被覆位置にあっても、使用者は、上記表示手段によって表示される表示画像を、表示画面の前面のあらゆる角度から視認することができる。
【００３４】
上記表示装置においては、上記透過可能反射手段としてハーフミラーが用いられることが好ましい。
【００３５】
上記構成によれば、上記透過可能反射手段はハーフミラーである。ハーフミラーは、斜め方向からの光に対して、その光を反射させることが可能であって、かつ、垂直方向からの光に対して、その光を透過させることが可能である。よって、上記透過可能反射手段と上記表示手段との位置関係に応じて、第１画像または第２画像を反射することができる。さらに、上記透過可能反射手段と上記表示手段とが平行または略平行に対面している状態では、上記表示手段からの表示画像を透過させることができる。
【００３６】
上記表示装置は、上記反射手段の配置位置に応じて、画像の表示状態を変更する表示状態変更手段を備えることが好ましい。
【００３７】
上記構成によれば、上記表示状態変更手段により、上記反射手段の配置位置に応じて、上記表示手段により表示される画像の表示状態を変更することが可能となる。それゆえ、上記反射手段の配置位置、例えば、上記反射位置と被覆位置とで、所望の表示状態とすることができる。
【００３８】
上記表示装置は、さらに、上記反射手段の配置位置を検出し、表示状態変更手段に出力する位置検出手段を備えることが好ましい。
【００３９】
上記構成によれば、上記位置検出手段は、上記反射手段の配置位置を検出し、上記表示状態変更手段に出力する。したがって、上記表示状態変更手段は、上記位置検出手段から入力された上記反射手段の配置位置に基づいて、画像の表示状態を変更することが可能となる。それゆえ、それゆえ、使用者は、上記反射手段の位置を変化させる動作を行うだけで、画像の表示状態を変更することができる。
【００４０】
上記表示装置においては、上記表示状態変更手段が、反射手段が被覆位置に配置されるときには、複数の画像を複数の表示方向に同時に表示するマルチビュー表示で、表示手段に画像を表示させることが好ましい。
【００４１】
上記構成によれば、上記表示状態変更手段により、上記反射手段が被覆位置に配置されるときには、複数の画像を複数の表示方向に同時に表示する。それゆえ、使用者は、正面方向を含むいずれの方向からも、同一の表示画像を見ることができる。
【００４２】
上記表示装置は、さらに、元の画像データである一次画像データに画像処理を施して、二次画像データを生成する画像処理手段を備えており、上記表示状態変更手段は、反射手段が反射位置に配置されるときには、反射方向に応じて上記画像処理手段により二次画像データを生成させ、当該二次画像データを用いて表示手段に画像を表示させることが好ましい。
【００４３】
上記構成によれば、上記画像処理手段により、上記一次画像データを画像処理し、二次画像データを生成することができる。また、上記画像処理手段による画像処理は、上記表示状態変更手段により制御される。具体的には、上記表示状態変更手段は、上記反射手段が反射位置に配置されるときに、反射方向に応じて上記画像処理手段により二次画像データを生成させる。それゆえ、上記反射手段の配置位置を変更するだけで、二次画像データを用いて、上記表示手段に画像を表示させることができる。
【００４４】
上記表示装置は、上記反射位置が画像を鏡像反転して反射する位置であれば、上記画像処理手段として、表示用の画像データを用いて、元の画像を鏡像反転した反転画像に対応する反転画像データを生成する鏡像反転処理手段を備えることが好ましい。
【００４５】
上記構成によれば、上記鏡像反転処理手段により、上記反射位置が画像を鏡像反転して反射する位置であれば、上記画像処理手段として、表示用の画像データを用いて、元の画像を鏡像反転した反転画像に対応する反転画像データが生成される。それゆえ、上記反射手段の配置位置を変更するだけで、表示用の画像データを用いて、元の画像を鏡像反転した反転画像を表示することができる。
【００４６】
上記表示装置においては、上記表示方向の異なる複数の画像には、反射手段により反射される反射画像と、反射されない非反射画像とが含まれており、上記移動配置手段による反射手段の反射位置には、反射画像の反射方向と非反射画像の表示方向とを一致させる、統一反射位置が含まれており、さらに、上記反射位置が統一反射位置であれば、反射画像および非反射画像が一つの統一画像として視認可能となっているとともに、上記画像処理手段として、一つの画像を分割して上記反射画像および非反射画像に分けて表示手段に表示させることにより、視認される統一画像を、元の画像の拡大画像とする拡大表示処理手段を備えることが好ましい。
【００４７】
上記構成によれば、上記表示方向の異なる複数の画像には、上記反射画像と、上記非反射画像とが含まれている。また、上記統一反射位置では、上記反射画像の反射方向と上記非反射画像の表示方向とが一致する。さらに、上記統一反射位置では、反射画像および非反射画像が一つの統一画像として視認される。加えて、上記画像処理手段は、上記拡大表示処理手段を備えている。上記拡大表示処理手段は、１つの画像を分割して上記反射画像および非反射画像に分けて表示手段に表示させることにより、視認される統一画像を、元の画像の拡大画像とする。それゆえ、使用者は、上記非反射画像の表示方向から、上記反射画像と非反射画像とを１つの拡大された画像として視認することができる。
【００４８】
上記表示装置においては、上記拡大表示処理手段は、表示用の画像データを用いて、一つの画像を複数に分割した部分画像にそれぞれ対応する部分画像データを生成するとともに、当該部分画像データから、拡大倍率に応じて部分画像を伸張させた伸張画像データを生成し、各伸張画像データを、反射画像または非反射画像に分類してそれぞれ表示手段に出力することが好ましい。
【００４９】
上記構成によれば、上記拡大表示処理手段により、表示用の画像データを用いて、一つの画像を複数に分割した部分画像にそれぞれ対応する部分画像データが生成される。また、当該部分画像データから、拡大倍率に応じて部分画像を伸張させた伸張画像データが生成される。各伸張画像データは、反射画像または非反射画像に分類してそれぞれ表示手段に出力される。それゆえ、分割伸張された反射画像および非反射画像を、それぞれ独立して、異なる方向に表示することができる。
【００５０】
上記表示装置は、上記表示手段の表示画面内となる位置に回転軸を設けることにより、表示手段そのものを回転可能とする表示手段回転手段を備えることが好ましい。
【００５１】
上記構成によれば、上記表示手段回転手段により、上記表示手段を回転移動させることが可能である。それゆえ、使用者は、上記表示手段の表示画面の視認に適した方向に、上記表示手段を回転させることできる。
【００５２】
上記表示装置においては、上記表示手段は、複数の画像のうち、反射されない非反射画像よりも反射手段により反射される反射画像の輝度を高く表示することが好ましい。
【００５３】
上記構成によれば、上記表示手段は、反射されない非反射画像の輝度よりも、反射画像として視認される画像の輝度を高くすることが可能である。一般的に、上記反射手段の反射率によっては、画像の輝度は反射によって低下することがある。上記構成によれば、上記反射手段により反射された反射画像として視認される画像の輝度が、予め、上記反射手段により反射されずに視認される非反射画像の輝度よりも高く補正されている。したがって、使用者が、上記反射手段により反射された反射画像と、上記反射手段により反射されていない非反射画像とを同時に視認する場合であっても、上記両方の画像の輝度を一致させることができる。
【００５４】
上記表示装置は、さらに、外部から画像情報を入力し、当該画像情報に基づいて上記表示手段に画像を表示させる画像情報入力手段を備えることが好ましい。
【００５５】
上記構成によれば、上記画像情報入力手段は、外部から画像情報を、上記表示手段に入力する。これにより、上記表示手段は、当該画像情報に基づいて、画像を表示画面に表示させることができる。それゆえ、上記表示装置は、外部から入力された画像情報に基づく画像を表示することができる。
【００５６】
上記表示装置においては、上記画像情報入力手段が、選択されたチャンネルのテレビ画像信号を上記表示手段に伝送するチューナー手段であるか、または、外部から入力された画像情報としての信号を上記表示手段に伝送する信号入力手段であることが好ましい。
【００５７】
上記構成によれば、上記チューナー部は、選択されたチャンネルのテレビ画像信号を上記表示手段に伝送することができる。そのため、上記表示装置をテレビジョン受像機として用いることができる。
【００５８】
また、上記構成によれば、上記信号入力手段は、外部から入力された画像信号を上記表示手段に伝送することができる。上記表示装置を画像表示モニターとして用いることができる。このようなテレビジョン受像機や画像表示モニターは、ワイドな画面での視認を可能とするとともに、収納や設置に必要なスペースが少なくてもよい。それゆえ、設置場所の限られたスペースを有効に活用することができる。
【００５９】
本発明にかかる情報処理装置は、上記表示装置を備えることを特徴としている。
【００６０】
上記構成によれば、上記情報処理装置の表示画面として、上記表示装置の表示画面を用いることが可能となる。それゆえ、限られた表示スペースでワイドな画像を視認できる。特に、上記情報処理装置を携帯型情報端末とすれば、限られた表示スペースでワイドな画像が視聴できるともに、移動の際にコンパクトに畳んだ状態で持ち運ぶことができる。
【００６１】
本発明にかかる通信装置は、上記表示装置を備えることを特徴としている。
【００６２】
上記構成によれば、上記通信装置の表示画面として、上記表示装置の表示画面を用いることが可能となる。それゆえ、限られた表示スペースでワイドな画像が視聴できる。特に、上記通信装置を携帯電話とすれば、限られた表示スペースでワイドな画像を視認できるともに、第３者からの画像の視認を阻止することも可能である。さらに、移動の際にコンパクトに畳んだ状態で持ち運ぶことができる。
【発明の効果】
【００６３】
本発明にかかる表示装置は、以上のように、複数の画像を複数の表示方向に同時に表示可能とする表示手段と、反射手段と、上記反射手段の移動配置手段とを備える。この移動配置手段は、反射手段の配置位置を変えることができるので、マルチビュー表示を同一方向表示に適宜切り替えることが可能となる。
【００６４】
しかも、表示画面を覆う被覆位置に反射手段を配置させることができるため、反射手段を使用しないときには被覆位置とすることで、装置をコンパクト化できるとともに、移動配置手段として簡素な構成のものを採用できる。しかも、反射手段が被覆位置にあるということは反射手段により表示画面の保護や表示品位の向上を図ることができ、さらには、反射手段として、ハーフミラー等の透過可能反射手段を用いることで、被覆位置でマルチビュー表示を実現することができる。
【００６５】
すなわち、本発明では、反射手段を被覆位置に配置可能とすることで、反射手段が表示切り替え機能に加えて画面保護機能を発揮できるとともに、装置構成を簡素化かつコンパクト化することが可能となる。特に、透過可能反射手段を用いたり、ヒンジ部材等により反射手段を折り返して表示手段の裏側に配置させたりすれば、移動配置手段が簡素な構成となり、かつ、マルチビュー表示の状態でも装置そのものがコンパクトとなり、表示装置やこれを備える情報処理装置・通信装置等の操作も可能となる。
【００６６】
その結果、本発明によれば、操作可能な状態で表示切替が可能であるという高性能性、簡素な構成に基づく低コスト性、コンパクトであるという利便性等の性能を発揮できる高性能の表示装置が得られるという効果を奏する。
【発明を実施するための最良の形態】
【００６７】
本発明の一実施形態について、図１〜１５に基づき説明すると以下の通りであるが、本発明はこれに限定されるものではない。
【００６８】
〔実施の形態１〕
まず、本実施の形態における表示装置の構成について説明する。図１は、本発明の実施の形態１における表示装置の構成を示したものである。
本実施の形態１にかかる表示装置は、図１に示すように、マルチビュー表示部１００（表示手段）と、ハーフミラー２００（反射手段、透過可能反射手段）と、移動配置部３００（移動配置手段）とを備えている。
【００６９】
ハーフミラー２００は、マルチビュー表示部１００に、移動配置部３００により接続されている。この構成によれば、ハーフミラー２００は、マルチビュー表示部１００の表示画面に対する相対的な位置を移動することができる。具体的には、マルチビュー表示部１００の何れかの方向に表示される画像を反射する反射位置（図２（ｄ））と、マルチビュー表示部１００の表示画面を覆う被覆位置（図２（ｂ））との少なくとも２種類の位置に移動することができる。なお、説明の便宜上、ハーフミラー２００が上記反射位置にある状態を開状態、上記被覆位置にある状態を閉状態と称する。
【００７０】
上記ハーフミラー２００は、後述するが、マルチビュー表示部１００からの画像を透過させることができる。そのため、図２（ａ）および（ｂ）に示すように、本実施の形態１にかかる表示装置は、閉状態では、上記ハーフミラー２００を透過してきた画像をいずれの方向からも視認することができる。つまり、特許文献１に開示されるような構成では、鏡でマルチビュー表示手段の表示画面の前面を覆ってしまうと、使用者は、画面表示の画像を視認することができないが、本実施の形態１にかかる表示装置の構成とすれば、ハーフミラー２００で、マルチビュー表示部１００の表示画面の前面を覆った場合であっても、使用者は、マルチビュー表示部１００からの画像を視認することができる。なお、図２（ａ）では、いずれの方向にも同一の画像が表示されているが、本発明はこれに限定されない。つまり、閉状態において、マルチビュー表示部１００は、複数の画像を複数の表示方向に同時に表示してもよい。
【００７１】
一方、本実施の形態１にかかる表示装置が開状態のときには、図２（ｃ）および（ｄ）に示すように、ハーフミラー２００で反射された反射画像と、上記マルチビュー表示部１００から直接、視覚方向に表示される非反射画像とを、上記表示装置の斜め前方から同時に視認することができる。
【００７２】
なお、  図２（ａ）および（ｃ）は、本実施の形態１にかかる表示装置を斜め前方から見た図であり、図２（ｂ）および（ｄ）は、本実施の形態１にかかる表示装置を上から見た図である。また、図２（ａ）〜（ｄ）において、矢印は、マルチビュー表示部１００による表示画像の表示方向を示している。
【００７３】
ここで、上記マルチビュー表示部１００、ハーフミラー２００、および移動配置部３００について、より詳しく説明する。
【００７４】
まず、ハーフミラー２００（反射手段、透過可能反射手段）について、図３を用いて説明する。なお、本実施の形態１では、透過可能反射手段として、ハーフミラー２００を備える表示装置について、説明するが、本発明はこれに限定されるものではない。つまり、透過可能反射手段は、上記表示手段に表示される複数の画像のうち、反射される画像とは表示方向の異なる画像の少なくとも一つを透過可能とするものであれば、特に限定されるものではない。
【００７５】
ハーフミラー２００は、斜め方向からの光に対して、その光を反射させることが可能であって、かつ、垂直方向からの光に対して、その光を透過させることが可能である。より具体的には、ハーフミラー２００が反射位置にあるときには、マルチビュー表示部１００からの画像を表示方向とは異なる方向に反射することができる。一方、ハーフミラー２００が被覆位置にあるときには、マルチビュー表示部１００からの、表示方向の異なる全ての画像を透過させることができる。
【００７６】
ハーフミラー２００は、図３に示すように、ハーフミラー２００は、アクリル板Ａ２０、ハーフミラーフィルム２１、アクリル板Ｂ２２によって構成される。ハーフミラー２００は、アクリル板Ａ２０およびアクリル板Ｂ２２によってハーフミラーフィルム２１を前後から挟み込む構造を有している。
【００７７】
ハーフミラーフィルム２１を前後から挟み込むために用いる材料は、特にアクリル板に限定されるものではないが、安全性、軽量性から考えると合成樹脂であることが好ましい。
【００７８】
ハーフミラーフィルム２１の透過率および反射率は、表示装置における画像の反射と透過とのバランスを考慮して、適宜設定することが好ましい。例えば、本実施の形態１にかかる表示装置において、ハーフミラー２００を透過した画像およびハーフミラー２００により反射された画像を視認でき、かつ、ハーフミラー２００による反射画像とハーフミラー２００の裏面方向の景色とが重なって視認されることを防ぎたい場合、ハーフミラーフィルム２１として、透過率よりも反射率のほうが大きいハーフミラーフィルムを用いることで、所望の効果を得ることができる。このような場合、例えば、ハーフミラーフィルム２１として透過率１６％および反射率７０％のハーフミラーフィルムを用いればよい。また、ハーフミラー２００により反射された画像よりも、ハーフミラー２００を透過した画像を視認することを重視する場合、より透過率の高いものを用いてもよい。逆に、ハーフミラー２００を透過した画像よりも、ハーフミラー２００により反射された画像を視認することを重視する場合、より反射率の高いものを用いてもよい。
【００７９】
また、ハーフミラーフィルム２１の裏面側は、ハーフミラー２００を閉じた状態において、外光の映り込みを減少させるために、反射率を低く抑えたものを用いてもよい。または、反射防止フィルムを貼る等して、外光の映り込みを減少させてもよい。さらに、ハーフミラー２００には、コントラストを向上させたり、ちらつきを軽減させたりする機能を付与してもよい。
【００８０】
なお、「透過率」とは、垂直方向からの入射光に対して、透過した光の割合であり、以下の式で定義されるものである。
【００８１】
（透過率）＝（透過光）／（入射光）
また、「反射率」は、垂直方向からの入射光に対して、反射した光の割合であり、以下の式で定義されるものである。
【００８２】
（反射率）＝（反射光）／（入射光）
また、ハーフミラーフィルム２１のその他の光学特性は、特に限定されるものではなく、例えば、紫外線カット機能を持つものなど、用途に応じてさまざまな性質を有するものを適宜選択して用いることができる。
【００８３】
また、ハーフミラー２００は、図１および図３では四角形であるが、その形状は特に限定されるものではない。例えば、図４に示すように、四角形の角（頂点）が丸みを帯びた略四角形の形状であってもよい。
【００８４】
また、本実施の形態１では、図１に示すように、ハーフミラー２００とマルチビュー表示部１００とが重なり合う面の面積は、ハーフミラー２００とマルチビュー表示部１００とでほぼ同じである。しかし、本発明はこれに限定されるものではなく、用途によってさまざまな面積のものを組み合わせて用いることもできる。
【００８５】
例えば、図５に示すように、マルチビュー表示部１００が、使用者の視認方向にニュースの画像を表示させ、それと別の視認方向に時刻表示を行った状態で、ハーフミラー２００が時刻表示を視認方向に反射させることも可能である。これによって、視認画面の画像を全く妨げることなく、ニュースの画像と時刻表示を同時に視認することが可能となる。このように、時刻表示のみを表示させるのであれば、ハーフミラー２００の面積は、表示画面の４分の１程度で十分である。
【００８６】
次に、本実施の形態１で用いられる移動配置部３００について、図６および図７を用いて説明する。移動配置部３００は、ハーフミラー２００がマルチビュー表示部１００に対して相対的に移動できるように、ハーフミラー２００とマルチビュー表示部１００とを接続するものである。具体的には、図６に示す構成で実現することができる。ここでは、移動配置手段として、図６に示す移動配置部３００を備える実施の形態について説明するが、本発明はこれに限定されるものではない。つまり、ハーフミラー２００を、マルチビュー表示部１００の表示画面に対する相対的な位置を移動可能に配置することが可能なものであれば、特に限定されない。
【００８７】
移動配置部３００は、図６に示すように、ハーフミラー２００およびマルチビュー表示部１００の縁部の一部を互いに接続するヒンジ部材Ａ３１（ヒンジ部材）とヒンジ部材Ｂ３２（ヒンジ部材）とを含む。ヒンジ部材Ａ３１は、切り込み状の開口部分を有している。当該開口部分の奥は、直方体から円柱をくりぬいたような形状となっている。一方、ヒンジ部材Ｂ３２は、ヒンジ部材Ａ３１の開口部分の奥にある直方体から円柱をくりぬいたような形状にはめ込むことが可能なように、円柱状の形状をしている。また、ヒンジ部材Ａ３１は、ある程度の柔軟性がある。そのため、ヒンジ部材Ａ３１の開口部分に力を負荷することで、開口部分を広げることができる。それゆえ、ヒンジ部材Ａ３１の開口部分を通して、ヒンジ部材Ｂ３２を、ヒンジ部材Ａ３１の開口部分の奥にある直方体から円柱をくりぬいたような形状の部分に押し込むことができる。また、逆に、ヒンジ部材Ａ３１にヒンジ部材Ｂ３２がはめ込まれた状態から、ヒンジ部材Ａ３１の開口部分を通して、ヒンジ部材Ｂ３２を抜き出したりすることが可能である。
【００８８】
これにより、本実施の形態１にかかる表示装置から、ハーフミラー２００を取り外すことができる。
【００８９】
さらに、図６に示すように、ヒンジ部材Ａ３１の中央付近（開口部分の奥）は直方体から円柱をくりぬいたような形状である。ヒンジ部材Ｂ３２も円柱状の形状をしている。したがって、ヒンジ部材Ａ３１にヒンジ部材Ｂ３２を差し込んだ状態でヒンジ部材Ｂ３２を回転させることが可能である。
【００９０】
これにより、ハーフミラー２００を、マルチビュー表示部１００のからの画像を表示方向とは異なる方向に反射する反射位置と、マルチビュー表示部１００の表示画面を覆う被覆位置とに回転移動させることができる。さらに、ハーフミラー２００による画像の反射方向を複数設定することもできる。例えば、反射画像の反射方向と非反射画像の表示方向とを一致させる統一反射位置と、その他の反射位置とを設定することができる。
【００９１】
反射位置として、統一反射位置を設定すれば、反射画像および非反射画像を１つの統一画像として視認することが可能となる。
【００９２】
図７（ａ）〜（ｆ）は、本実施の形態１にかかる表示装置を様々な角度から見たときの図である。図７（ａ）、（ｃ）、（ｅ）は、本実施の形態１にかかる表示装置を斜め前方から見た図である。また、図７（ｂ）、（ｄ）、（ｆ）は、本実施の形態１にかかる表示装置を上から見た図である。ここでは、マルチビュー表示部１００およびハーフミラー２００のそれぞれに、ヒンジ部材Ａ３１およびヒンジ部材Ｂ３２を４つずつ備える実施の形態について説明するが、本発明は、これに限定されるものではない。例えば、マルチビュー表示部１００およびハーフミラー２００のそれぞれに、ヒンジ部材Ａ３１およびヒンジ部材Ｂ３２を２つずつ備える実施の形態であってもよい。
【００９３】
図７（ａ）〜（ｆ）では、マルチビュー表示部１００の表示画面側の４つの隅部付近のそれぞれにヒンジ部材Ａ３１が接着されている。つまり、ヒンジ部材Ａ３１が４つ用いられている。なお、この４つのヒンジ部材Ａ３１について、説明の便宜上、マルチビュー表示部１００の表示画面に向かって、左上のものから反時計回りに、ヒンジ部材Ａ３１１、ヒンジ部材Ａ３１２、ヒンジ部材Ａ３１３、およびヒンジ部材Ａ３１４呼ぶこととする。
【００９４】
また、図７（ａ）〜（ｆ）では、ヒンジ部材Ｂ３２はハーフミラー２００の４つの隅部付近のそれぞれにヒンジ部材Ｂ３２が接着されている。つまり、ヒンジ部材Ｂ３２が４つ用いられている。説明の便宜上、ヒンジ部材Ａ３１１に対応するものをヒンジ部材Ｂ３２１、ヒンジ部材Ａ３１２に対応するものをヒンジ部材Ｂ３２２、ヒンジ部材Ａ３１３に対応するものをヒンジ部材Ｂ３２３、およびヒンジ部材Ａ３１４に対応するものをヒンジ部材Ｂ３２４と呼ぶこととする。
【００９５】
図７（ａ）および（ｂ）には、ヒンジ部材Ｂ３２３およびヒンジ部材Ｂ３２４のみを対応するヒンジ部材Ａ３１３およびヒンジ部材Ａ３１４に差し込んだ状態が示されている。この状態では、ハーフミラー２００を、表示画面の左斜め前方に向かって表示された画像を反射させる位置へ、移動させることが可能である。これによって、使用者は、表示画面の右斜め前方の位置から反射画像を視認することが可能となる。
【００９６】
一方、図７（ｅ）および（ｆ）には、ヒンジ部材Ｂ３２１およびヒンジ部材Ｂ３２２のみを対応するヒンジ部材Ａ３１１およびヒンジ部材Ａ３１２に差し込んだ状態が示されている。この状態では、ハーフミラー２００を、表示画面の右斜め前方に向かって表示された画像を反射させる位置へ、移動させることが可能である。これによって、使用者は、表示画面の左斜め前方の位置から反射画像を視認することが可能となる。
【００９７】
また、図７（ｃ）および（ｄ）には、４つのヒンジ部材Ｂ３２１〜３２４の全てを、対応するヒンジ部材Ａ３１１〜３１４に差し込まれた状態が示されている。この状態では、ハーフミラー２００をマルチビュー表示部１００の表示画面の前面を覆う位置に固定することが可能となる。
【００９８】
さらに、必要に応じて４つのヒンジ部材Ｂ３２１〜３２４の全てを対応するヒンジ部材Ａ３１１〜３１４からはずすことも可能である。これにより、ハーフミラー２００をマルチビュー表示部１００から取り外すことができる。
【００９９】
なお、本実施の形態１では、マルチビュー表示部１００として、左右に２つの表示方向を持つマルチビュー表示装置を用いているため、ハーフミラー２００を垂直方向に回転軸をとって、回転移動させる構造にしている。本発明は、これに限定されるものではなく、上下に２つの表示方向を持つ、マルチビュー表示装置を用いることもできる。この場合、ハーフミラー２００を水平方向に回転軸をとって、回転移動させる構造にすることが好ましい。
【０１００】
また、本実施の形態１では、移動配置手段として、ヒンジ部材Ａ３１およびヒンジ部材Ｂ３２を含む移動配置部３００を用いているが、本発明はこれに限定されるものではない。具体的には、適切な位置に移動可能であり、脱着可能な移動配置手段であればよく、さまざまなものを適用可能である。例えば、ハーフミラー２００をスライドさせて、マルチビュー表示部１００とハーフミラー２００との位置関係を変化させるような移動配置手段などを用いることができる。
【０１０１】
次に、マルチビュー表示部１００について、図８〜図１１を用いて、以下詳細に説明する。
【０１０２】
マルチビュー表示部１００は、複数の画像を複数の表示方向に同時に表示可能である。ここでは、図８（ａ）（ｂ）に示すデュアルビュー方式の液晶ディスプレイを例に、マルチビュー表示部１００についてより具体的に説明するが、本発明はこれに限定されるものではない。具体的には、複数の画像を複数の表示方向に同時に表示する機能を有するものであればデュアルビュー方式の液晶ディスプレイに限定されるものではなく、マルチビュー表示方式の液晶ディスプレイを用いても本発明を実現できる。また、デュアルビュー方式またはマルチビュー表示方式は、液晶ディスプレイ以外でも実現可能であるため、マルチビュー表示部１００としては、例えば有機ＥＬパネルやＣＲＴ等を用いることもできる。
【０１０３】
図８（ａ）（ｂ）は、マルチビュー表示部１００の画面表示を説明する図である。マルチビュー表示部１００は、図８（ａ）に示すように、表示画面から第１方向に向けて第１画像を表示すると同時に、表示画面から第１方向とは異なる第２方向に向けて第１画像とは異なる第２画像を表示する機能、つまり、互いに異なる２つの画像を同時に表示する機能を有する。本明細書において、この表示をＤＶ（Dual View）表示と称する。
【０１０４】
上記「第１方向」および「第２方向」は、それぞれ、マルチビュー表示部１００の表示方向を表す。また、ここでは、説明の便宜上、表示画面の左斜め前方の方向を第１方向、表示画面の右斜め前方の方向を第２方向とする。また、ここでは、第１方向に対する画像を第１画像、第２方向に対する画像を第２画像と称する。さらに、「正面方向」とは、第１方向と第２方向との中間の方向を表す。すなわち、「正面方向」とは、マルチビュー表示部１００の２つの表示方向の間の方向ということもできる。また、正面方向に対する画像を正面画像と称する。
【０１０５】
また、マルチビュー表示部１００が備える後述の表示状態変更部１１により、画像を単画面表示処理すれば、マルチビュー表示部１００は、図８（ｂ）に示すように、第１方向、第２方向、および正面方向の、いずれの方向からも同一の画像を視認可能であるように表示させることもできる。本明細書において、この表示を単画面表示と称する。
【０１０６】
ここで、マルチビュー表示部１００の構造について、より詳細に説明する。マルチビュー表示部１００は、表示パネル４０と、表示状態変更部１１（表示状態変更手段）とを備えている。表示パネル４０は、図９に示すように、バックライト４１と、液晶部４２と、視差バリア４３とが順に重ねあわされた構造を有している。バックライト４１は、照明装置であり、液晶部４２に向かって光を照射する。液晶部４２は、バックライト４１からの光を透過・遮光させることで、画像を作り出す。視差バリア４３は、液晶部４２により作り出された画像に、視野角特性を与える。なお、液晶部４２には、カラーフィルタ（図示しない）を設け、カラー表示が可能な構成としてもよい。
【０１０７】
液晶部４２は、図９に示すように、第１画像を表示する第１画像表示領域４２２と、第２画像を表示する第２画像表示領域４２１とが、順番に交互に並んで短冊状に構成される。また、視差バリア４３は、図９に示されるように、液晶部４２の表示画像（第１画像および第２画像）を遮断する閉口部４３１と、液晶部４２の表示画像を通過させる開口部４３２とが、交互に並んで構成される。
【０１０８】
このような構造を有する液晶部４２と視差バリア４３とを重ね合わせることによって、第１画像表示領域４２２に表示された第１画像は、開口部４３２を通過して、第１方向にいる使用者から視認される。一方、第２画像表示領域４２１に表示された第２画像は閉口部４３１に遮断されるので、第１方向にいる使用者からは視認されない。
【０１０９】
また、第２画像表示領域４２１に表示された第２画像は、開口部４３２を通過して、第２方向にいる使用者から視認される。一方、第１画像表示領域４２２に表示された第１画像は閉口部４３１に遮断されるので、第２方向にいる使用者からは視認されない。
【０１１０】
このようにして表示パネル４０は、第１方向と第２方向とのそれぞれに、第１画像と第２画像とを同時に表示する。
【０１１１】
さらに、後述する表示状態変更部１１によって画像の表示状態を制御することにより、第１方向と第２方向とに、異なる画像を表示させることができるだけではなく、同一の画像を表示させることができる。すなわち、第１画像表示領域４２２と第２画像表示領域４２１とに、異なる画像を表示させることができるだけではなく、同一の画像を表示させることもできる。第１方向と第２方向とに同一の画像を表示させることにより、どの方向からも同一の画像が視認できる単画面表示とすることができる（図８（ｂ））。
【０１１２】
なお、マルチビュー表示部１００の構成によっては、真正面から視認した際に、第１画像と第２画像とが重なって視認される場合があるが、単画面表示の際には１つの画像として視認される。
【０１１３】
上記の通り、本実施の形態１では、液晶部４２からの画像に視野角特性を与える手段（以下、「視野角制御手段」ともいう）として視差バリア４３を備える表示パネル４０について説明したが、本発明に用いることが可能な視野角制御手段は視差バリア限定されるものではない。例えば、上記視野角制御手段としては、視野角制御の有効・無効を電気的に切り替え可能な視差バリアを用いていることができる。このような視差バリアを用いれば、視差バリアの効果を有効とする場合にＤＶ表示を行うことが可能であるとともに、視差バリアの効果を無効とする場合に単画面表示処理を実現することが可能である。さらに、第１画像表示領域４２２および第２画像表示領域４２１の両方を用いて、１つの画像を表示できるので、表示画面の解像度を上げる効果も得られる。なお、上記表示画面の解像度の上昇は、ハーフミラー２００の大きさに依存するものである。例えば、本実施の形態１のように、マルチビュー表示部１００の表示パネル４０と、ハーフミラー２００の反射面との大きさが同一である場合、表示画面の解像度を２倍にすることができる。
【０１１４】
表示状態変更部１１は、表示パネル４０へ表示する画像の処理を制御することにより、表示装置の表示状態を制御するものである。より具体的には、本実施の形態１にかかる表示装置は、開動作モードと閉動作モードとの少なくとも２つの表示状態を有する。さらに、上記開動作モードには、統一反射モードが含まれていてもよい。このような表示状態は、表示状態変更部１１によって制御される。
【０１１５】
なお、ここで、「開動作」とは、ハーフミラー２００を、被覆位置から反射位置へ移動させる動作を意味する。また、「開動作モード」とは、開状態時の表示状態を意味する。さらに、「統一反射モード」とは、開動作モードの一種であって、反射画像および非反射画像を一つの統一画像として視認する表示状態である。本実施の形態１では、開動作モードおよび統一反射モードは、ＤＶ表示状態である。一方、「閉動作」とは、ハーフミラー２００を、反射位置から被覆位置へ移動させる動作を意味する。また、「閉動作モード」とは、閉状態時の表示状態を意味する。本実施の形態１では、閉動作モードは、単画面表示状態である。なお、別に実施の形態として、閉動作モードにおいても、ＤＶ表示状態とする構成も可能である。さらに、本明細書において、「開閉動作」とは、開動作および閉動作の総称である。
【０１１６】
図１０は、表示状態変更部１１の概略構成を示すブロック図である。
【０１１７】
図１０に示すように、表示状態変更部１１は、第１通信部１５、および制御部１２を備えている。第１通信部１５と制御部１２とは、データ信号線であるバス１４によって接続されている。また、第１通信部１５は、バス１４を介して表示パネル４０と接続されている。
【０１１８】
第１通信部１５は、表示状態変更部１１が表示パネル４０との通信を行うためのインターフェースである。すなわち、表示状態変更部１１は、第１通信部１５を介して、表示パネル４０等との通信を行っている。より具体的には、表示状態変更部１１は、制御部１２からの制御信号に基づいて、第１通信部１５を介して、表示パネル４０に制御信号を伝送する。
【０１１９】
なお、第１通信部１５を介して行われる通信の通信方式は、特に限定されるものではなく、あらゆる通信方式を採用することができる。
【０１２０】
制御部１２は、表示状態変更部１１全体を制御するものであり、具体的には、ＣＰＵ（Central Processing Unit）、ＲＡＭ（Random Access Memory）、およびＲＯＭ（Read Only Memory）等から構成される。また、制御部１２は、元の画像データである一次画像データに画像処理を施して、二次画像データを生成する画像処理部（画像処理手段）を備えている。具体的には、鏡像反転処理部７１（画像処理手段、鏡像反転処理手段）、拡大表示処理部７０（画像処理手段、拡大表示処理手段）、および単画面表示処理部７２（画像処理手段、単画面表示処理手段）の少なくとも１つを備えている。これにより、ハーフミラー２００が反射位置に配置されるときには、反射方向に応じて二次画像データを生成させ、当該二次画像データを用いてマルチビュー表示部１００に画像を表示させる。なお、これらの各部は、ＣＰＵがプログラムを実行することによって実現される機能ブロックである。また、ここでは、画像処理手段として、鏡像反転処理部７１、拡大表示処理部７０、および単画面表示処理部７２を備える実施形態について説明するが、本発明はこれに限定されない。
【０１２１】
鏡像反転処理部７１は、表示用の画像データを用いて、元の画像を鏡像反転した反転画像に対応する反転画像データを生成する（この画像処理を、以下「鏡像反転処理」ともいう）ものである。
【０１２２】
拡大表示処理部７０は、１つの画像を分割して反射画像および非反射画像に分けてマルチビュー表示部１００に表示させることにより、視認される統一画像を、元の画像の拡大画像とすることを可能とする画像処理（以下、「拡大表示処理」ともいう）を行うものである。例えば、表示用の画像データを用いて、１つの画像を複数に分割した部分画像にそれぞれ対応する部分画像データを生成する。さらに、当該部分画像データから、拡大倍率に応じて部分画像を伸張させた伸張画像データを生成する。そして、各伸張画像データを、反射画像または非反射画像に分類してそれぞれ表示手段に出力する処理が挙げられる。より具体的には、単画面表示処理において表示されている画像を表示画面に向かって左半分と、表示画面に向かって右半分との２つに分割し、左半分の画像を横方向に伸張し（本実施の形態１では、２倍に伸張し）、第１画像とするとともに、右半分の画像を横方向に伸張し（本実施の形態１では、２倍に伸張し）、第２画像とする画像処理（以下、「分割伸張処理」ともいう）が挙げられる。
【０１２３】
単画面表示処理部７２は、第１方向と第２方向とに、分割も伸張もされていない１つの同一の画像を表示させる単画面表示処理を行う。
【０１２４】
なお、本実施の形態では、拡大表示処理部７０を用いて、横方向に大きな画面を表示させるようにした実施の形態について説明するが、２種類の別々の画像を表示させてもよい。また、横方向にワイドな画像であれば、横方向への伸張をしなくてもよい。
【０１２５】
次に、制御部１２の動作について、図１１を用いて具体的に説明する。図１１は表示装置の動作のフローチャートである。ここでは、開動作モード、統一反射モード、閉動作モードの３つの表示状態を有する実施形態について、まず、開動作モード、および統一反射モード時の制御部１２の動作について説明する。
【０１２６】
図１１に示すように、本実施の形態１では、まず、使用者が、表示装置が開状態であるのか、閉状態であるのかを判断し、開動作モード（もしくは統一反射モード）、または閉動作モードを選択する（ステップ１、以下の説明では、適宜ステップをＳと略す）。開動作モード（もしくは統一反射モード）、または閉動作モードのいずれかの表示状態を使用者が選択すると、制御部１２は、それが開動作モード（もしくは統一反射モード）なのか閉動作モードなのかを判断する（Ｓ２）。
【０１２７】
ここで、開動作モード（もしくは統一反射モード）であると判断した場合、さらに、制御部１２は、統一動作モードであるのか否かを判断する（Ｓ３）。制御部１２は、統一動作モードであると判断すると、前述した拡大表示処理部７０において、拡大表示処理を実行する（Ｓ４）。そして、制御部１２は、前述した鏡像反転処理部７１において、ハーフミラー２００に反射させる側の画像（第１画像または第２画像）を鏡像反転させる（Ｓ５）。このように、鏡像反転処理部７１において、ハーフミラー２００に反射させる側の画像を鏡像反転させることで、使用者がハーフミラー２００によって反射された画像を視認するときに、左右の反転しない画像を視認することが可能となる。
【０１２８】
上記ステップ５において、表示パネル４０におけるＤＶ表示が可能となった第１画像および第２画像の画像信号を、第１通信部１５を介して、表示パネル４０に伝送する（Ｓ６）。そして、表示パネル４０は、表示状態変更部１１から伝送された第１画像および第２画像の画像信号に基づき、第１画像と第２画像とを、第１方向と第２方向にＤＶ表示する。
【０１２９】
これらステップ４〜６を制御部１２が繰り返し行うことによって、使用者は、使用者の視認方向に対する画面表示の画像と、それと別の視認方向に対する画面表示の画像とを合わせて、図２（ｃ）および（ｄ）に示すような１つのワイドな画像として視認することが可能となる。
【０１３０】
一方、上記ステップ３において、統一動作モードでないと判断すると、前述した拡大表示処理部７０は行わず（Ｓ７）、前述した鏡像反転処理部７１において、ハーフミラー２００に反射させる側の画像（第１画像または第２画像）を鏡像反転させる（Ｓ８）。このように、鏡像反転処理部７１において、ハーフミラー２００に反射させる側の画像を鏡像反転させることで、使用者がハーフミラー２００によって反射された画像を視認するときに、左右の反転しない画像を視認することが可能となる。
【０１３１】
上記ステップ８において、表示パネル４０におけるＤＶ表示が可能となった第１画像および第２画像の画像信号を、第１通信部１５を介して、表示パネル４０に伝送する（Ｓ９）。そして、表示パネル４０は、表示状態変更部１１から伝送された第１画像および第２画像の画像信号に基づき、第１画像と第２画像とを、第１方向と第２方向にＤＶ表示する。
【０１３２】
これらステップ７〜９を制御部１２が繰り返し行うことによって、使用者は、使用者の視認方向に対する画面表示の画像と、それと別の視認方向に対する画面表示の画像とを同時に視認することが可能となる。
【０１３３】
開動作モードおよび統一反射モードでは、使用者はマルチビュー表示部１００の画像を斜めから（第１方向または第２方向から）視認することになる。したがって、使用者から表示画面の左右両端までの距離が異なる。そのため、画像の手前のほうは垂直方向の長さが長く、画像の奥のほうは垂直方向の表示画像の長さが短く視認される。この垂直方向の表示画像長さの違いを補正するために、表示状態変更部１１は、例えば、画像を垂直方向に伸縮させて表示するための手段を備えていてもよい。
【０１３４】
次に、上記ステップ２で、制御部１２が閉動作モードであると判断した場合の動作について説明する。制御部１２が閉動作モードであると判断した場合、図１１に示すように、制御部１２は、鏡像反転処理部７１において、表示画像の鏡像反転処理を解除する（Ｓ１０）。さらに、制御部１２は、拡大表示処理部７０において、画像分割伸張処理も解除する（Ｓ１１）。
【０１３５】
上記ステップ１１において、表示パネル４０における単画面表示が可能となった第１画像および第２画像の画像信号を、第１通信部１５を介して、表示パネル４０に伝送する（Ｓ１２）。そして、表示パネル４０は、第１方向と第２方向に、分割も伸張もされていない１つの同一の画像を表示することで、単画面表示処理を行う。
【０１３６】
これらステップ１０〜１２を制御部１２が繰り返し行うことによって、使用者がハーフミラー２００を閉じた場合において、使用者は、正面を含むいずれの方向からも、図２（ａ）および（ｂ）に示すような同一の画像を視認することが可能となる。
【０１３７】
このように表示モードに応じて、表示状態変更部１１が画面表示を制御することによって、ハーフミラー２００が表示パネル４０の表示画面を覆っているときでも、開いているときでも、使用者は、その状態に応じた表示画像を視認することができる。
【０１３８】
なお、ここでは、単画面表示処理部７２を備え、閉状態では、いずれの方向にも同一の画像を表示する実施形態について説明したが、閉状態において、複数の異なる画像を複数の表示方向に同時に表示する構成とすることもできる。
【０１３９】
また、本実施の形態１にかかる表示装置は、上記構成に加えて、マルチビュー表示部１００の表示画面側に開閉動作センサー１３（図示せず、位置検出手段）が設けられてもよい。このような構成では、図１２に示すように、表示状態変更部１１の代わりに、表示状態変更部１８が備えられる。表示状態変更部１８は、表示状態変更部１１とは異なり、第１通信部１５に加えて、第２通信部１６を備えている。第２通信部１６は、バス１４を介して制御部１２と接続されている。さらに、第２通信部１６は、バス１４を介して開閉動作センサー１３と接続されている。
【０１４０】
上記構成により、表示状態変更部１１は、開閉動作センサー１３からの開閉動作の検知信号を、第２通信部１６を介して受信し、上記検知信号をもとに、制御部１２に制御信号を送る。
【０１４１】
マルチビュー表示部１００の表示画面側において、開閉動作センサー１３を設ける位置は特に限定されるものではないが、例えば、マルチビュー表示部１００の端部付近に設けることができる。
【０１４２】
開閉動作センサー１３は、ハーフミラー２００の開閉動作を検知する機器である。具体的には、開閉動作センサー１３は、マルチビュー表示部１００とハーフミラー２００との位置関係の変化を検知する。さらに、上記位置関係の変化が、開動作であるのか、閉動作であるのかを判断し、その判断した状態を、表示状態変更部１１の第２通信部１６を介して、制御部１２に通知する。
【０１４３】
上記開閉動作センサー１３は、ハーフミラー２００の開閉動作を検知することが可能なものであればよく、特に限定されるものではない。例えば、図２３に示すようなセンサーを用いることができる。図２３に示すセンサーは、マルチビュー表示部１００に備えられ、マルチビュー表示部１００に対して、ほぼ垂直に突出した凸部９０を有している。凸部９０は、マルチビュー表示部１００の表示パネル４０に対して垂直方向に可動である。より具体的には、凸部９０に外力をかけることによって、マルチビュー表示部１００に押し込むことができる。図２３に例示するセンサーでは、凸部９０がマルチビュー表示部１００に対して突出している状態と、マルチビュー表示部１００に押し込まれた状態とで、開動作と閉動作とを検知することができる。例えば、凸部９０がマルチビュー表示部１００に対して突出している状態時には、開動作であることを検知し、逆に、マルチビュー表示部１００に押し込まれた状態時には、閉動作であると検知する構成とすることができる。なお、図２３に示すセンサーは、開閉動作センサー１３の具体例として例示するものであって、本発明はこれに限定されるものではない。
【０１４４】
図１３は、開閉動作センサー１３の概略構成を示すブロック図である。図１３に示すように、開閉動作センサー１３（位置検出手段）は、検知部５１、センサー制御部５２、およびセンサー通信部５３を備えている。
【０１４５】
検知部５１は変化に関する情報（変化情報）を検知するものである。この変化情報とは、ここでは、マルチビュー表示部１００とハーフミラー２００との位置関係の変化に関する情報である。検知部５１にて検知した変化情報は、センサー制御部５２へと送信される。
【０１４６】
センサー制御部５２は、検知部５１にて検知した変化情報を受信すると、検知部５１が検知した変化情報が、ハーフミラー２００の閉動作であるのか、もしくは、開動作であるのかの判断を行う。
【０１４７】
センサー制御部５２には、予め、検知部５１にて検知した変化情報がハーフミラー２００の閉動作を示すものであるか、もしくは、開動作を示すものであるのかを判定するための基準が記憶されている。このため、センサー制御部５２は、検知部５１から送信された変化情報を上記基準に照らし合わせることにより、閉動作であるのか、または開動作であるのかを判定する。センサー制御部５２は、その判定結果を表示状態変更部１１に送信する。センサー制御部５２からの上記判定結果の通知はセンサー通信部５３を介して行われる。
【０１４８】
センサー通信部５３は、開閉動作センサー１３が表示状態変更部１１と通信を行うためのインターフェースである。センサー制御部５２からの上記判定結果の通知は、センサー通信部５３から表示状態変更部１１へと送信される。
【０１４９】
本実施の形態２において、開閉動作センサー１３と表示状態変更部１１との通信は、開閉動作センサー１３から表示状態変更部１１への単方向通信であってもよいし、双方向通信であってもよい。
【０１５０】
なお、開閉動作センサー１３の各部材を駆動させるための電源部については、図示していないが、本実施の形態１にかかる表示装置の電源から、電力が供給されることが好ましい。
【０１５１】
また、ここでは、開閉動作センサー１３が開動作と閉動作とを検知する方法について、説明したが、さらに、開閉動作センサー１３は、ハーフミラー２００の配置位置を検出することが好ましい。具体的には、ハーフミラー２００が開状態にあることを検知することに加えて、ハーフミラー２００が上記統一反射位置にあることを検出可能であることが好ましい。以下、開閉動作センサー１３を備える表示装置の動作について説明するが、ここでは、開閉動作センサー１３が、ハーフミラー２００が上記統一反射位置をあることを検出可能な実施形態について説明する。
【０１５２】
開閉動作センサー１３を備える表示装置では、まず、図１４に示すように、ステップ１ａにおいて、開閉動作センサー１３は、検知部５１によって開閉動作を検知する。次に、開閉動作センサー１３は、検知部５１が検知した情報が、開動作であるのか、それとも閉動作であるのかを、センサー制御部５２で判定する。さらに、開動作である場合、ハーフミラー２００は、統一反射位置にあるのか否かを判定する。そして、開閉動作センサー１３は、その判定結果を、センサー通信部５３を介して、表示状態変更部１１に通知する。
【０１５３】
ステップ２ａでは、表示状態変更部１１は、制御部１２において、開閉動作センサー１３から通知された上記判定結果が、開動作なのか閉動作なのかを判断する。
【０１５４】
ここで、開動作であると判断されると、ステップ３ａで、ハーフミラー２００が統一反射位置にあるのか否かを判断する。ここで、ハーフミラー２００が統一反射位置にあると判断されると、統一反射モードが選択され、上述したステップ４〜６が実行される。一方、ハーフミラー２００の配置位置が統一反射位置にないと判断されると、開動作モードが選択され、上述したステップ７〜９が実行される。また、閉動作であると判断されると、閉動作モードが選択され、上述したステップ１０〜１２が実行される。
【０１５５】
このように、開閉動作センサー１３により開閉動作を検知し、表示状態変更部１１が表示モードを制御することによって、ハーフミラー２００の開閉動作のみによって、前述した表示状態を自動的に切り替える表示装置が実現する。これにより、使用者は、開閉動作とは別に表示モードの選択（切り替え動作）を行う必要がない。
【０１５６】
また、本実施の形態１にかかる表示装置は、上記構成に加えて、さらに、ハーフミラー２００による反射画像の輝度と、マルチビュー表示部１００から直接視認される画像（非反射画像）の輝度とがほぼ同じとなるように、画像を補正する手段を備えていてもよい。このような補正は、例えば、表示状態変更部１１による画像処理によって、ハーフミラー２００のない方向に対する画像の輝度を低くすることで行うことができる。また、表示状態変更部１１による画像処理によって、ハーフミラー２００のある方向に対する画像の輝度を高くすることでも上記補正を行うことができる。
【０１５７】
より具体的には、表示状態変更部１１による表示制御によって、第１画像表示領域４２２および第２画像表示領域４２１の液晶駆動電圧を変え、液晶の透過率を変化させる。これにより、ハーフミラー２００による反射画像の輝度と、マルチビュー表示部１００による画像の輝度とがほぼ同じとなるように調整することができる。
【０１５８】
また、図１５（ｂ）に示すように、実施の形態１および２にかかる表示装置におけるバックライト４１の代わりに、特定の方向に光を照射する指向性バックライト８０を用いることでも、上記補正を行うことができる。指向性バックライト８０は、図１５（ｂ）に示すように、レンズシート８０１と、蛍光管８０２と、集光反射板８０３とを備え、特定の方向ごとに光を照射することができる。
【０１５９】
上記補正に指向性バックライト８０を用いる場合、反射方向に対して光を照射する側の指向性バックライト８０にかける電圧を、反射方向以外の方向に対して光を照射する側の指向性バックライト８０にかける電圧に対して相対的に大きくする。これにより、非反射画像と反射画像との輝度のバランスをとることができる。
【０１６０】
以上のような構成によれば、図１５（ａ）に示すように、反射方向に表示された画像の一部分がハーフミラー２００に吸収およびハーフミラー２００の裏面に透過し、ハーフミラー２００による反射画像の輝度が低下した場合であっても、ハーフミラー２００による反射画像の輝度を、非反射画像の輝度と同等にすることができる。したがって、ハーフミラー２００による反射画像と非反射画像との輝度のバランスが崩れることはない。
【０１６１】
〔実施の形態２〕
本発明の他の実施の形態について、図１２および図１６に基づいて説明すれば以下の通りである。なお、説明の便宜上、実施の形態１で用いた部材と同一の機能を有する部材には同一の部材番号を付記し、その説明を省略する。
【０１６２】
実施の形態２にかかる表示装置は、図１６（ａ）〜（ｃ）に示すように、マルチビュー表示部１００と、鏡２１０（反射手段）と、裏面移動接続部３１０（裏面移動接続手段）とを備えている。
【０１６３】
本実施の形態２において、鏡２１０は、裏面移動接続部３１０を介して、マルチビュー表示部１００に対して１８０°以上回転移動可能に、マルチビュー表示部１００に接続される。より具体的には、図１６（ａ）に示す、鏡２１０が反射位置にある状態から、図１２（ｂ）に示す、鏡２１０とマルチビュー表示部１００とがなす角が１８０°の状態に、鏡２１０をマルチビュー表示部１００に対して回転移動させることができる。さらに、図１２（ｂ）に示す状態から、図１２（ｃ）に示す、鏡２１０がマルチビュー表示部１００の表示画面の後方に折り畳まれた状態となるように、鏡２１０をマルチビュー表示部１００に対して回転移動させることができる。また、鏡２１０は、マルチビュー表示部１００の表示画面側を鏡２１０で覆うことが可能である。
【０１６４】
上記構成によれば、マルチビュー表示部１００の画面表示を妨げることなく、鏡２１０をコンパクトにしまい込むことができる。すなわち、本実施の形態４にかかる表示装置では、上記鏡２１０をコンパクトにしまい込んだ際にも、マルチビュー表示部１００による表示画像を視認することが可能である。
【０１６５】
さらに、図１２（ｂ）に示す状態から、図１２（ｃ）に示す状態に、鏡２１０を回転移動させる途中の状態で、マルチビュー表示部１００に対して、鏡２１０を固定できる構成としてもよい。そのような構成とすれば、マルチビュー表示部１００に対して、鏡２１０を固定した状態で、鏡２１０を土台として、表示装置を設置し、マルチビュー表示部１００からの表示画像を視認することができる。
【０１６６】
鏡２１０は、斜め方向および垂直方向からの光に対して、その光を反射させることが可能である。その一方、鏡２１０は、斜め方向および垂直方向のいずれの方向からの光も透過させることはできない。したがって、鏡２１０は、ハーフミラー２００と比較して、反射率は格段に高い。そのため、実施の形態１で述べた、表示画像の輝度を補正する手段を備えていなくても、鏡２１０による反射画像の輝度と、非反射画像の輝度との差が生じにくい。
【０１６７】
また、鏡２１０のマルチビュー表示部１００とが重なり合う面の面積は、実施の形態１のハーフミラー２００と同様に、特に限定されるものではなく、用途によってさまざまな面積のものを組み合わせて用いることができる。
【０１６８】
本実施の形態２にかかる表示装置の動作について、以下説明する。本実施の形態２にかかる表示装置では、鏡２１０が開状態にある時と、鏡２１０がマルチビュー表示部１００の表示画面の後方に折り畳まれた状態にある時で、表示モードが切り替え可能である。具体的には、鏡２１０が開状態時には、開動作モードに切り替え可能であって、鏡２１０がマルチビュー表示部１００の表示画面の後方に折り畳まれた状態にある時には、閉動作モードに切り替え可能である。また、図１２（ｂ）に示す状態から、図１２（ｃ）に示す状態に、鏡２１０を回転移動させる途中の状態で、マルチビュー表示部１００に対して、鏡２１０を固定できる構成であるときには、図１２（ｂ）に示す状態から、図１２（ｃ）に示す状態に、鏡２１０を回転移動させる途中の状態では、閉動作モードに切り替え可能であることが好ましい。
【０１６９】
また、本実施の形態２においても、実施の形態１と同様に、裏面移動接続部３１０付近に開閉動作センサー１３を設け、鏡２１０の開閉動作を検知し、開閉動作に応じて適切に表示モードを切り替えるようにしてもよい。
【０１７０】
この場合、本実施の形態２では、実施の形態１とは異なり、センサー制御部５２は、検知部５１が検知した変化情報から、鏡２１０が閉状態にあるのか、開状態にあるのか、それとも、鏡２１０がマルチビュー表示部１００の表示画面の後方に折り畳まれた状態にあるのかの判断を行う。さらに、鏡２１０が統一反射位置にあるのかを判断することができる構成としてもよい。これを実現するために、センサー制御部５２には、予め、検知部５１にて検知した変化情報がハーフミラー２００の閉状態を示すものであるか、開状態を示すものであるのか、それとも鏡２１０がマルチビュー表示部１００の表示画面の後方に折り畳まれた状態であるのか、さらまた、鏡２１０の配置位置が統一反射位置であるのかを判定するための基準が記憶される。
【０１７１】
また、本実施の形態２において、開閉動作センサー１３を備える場合の表示装置の動作について説明する。本実施の形態２では、実施の形態１とは異なり、ステップ１ａで、開閉動作センサー１３は、検知部５１が検知した情報が、鏡２１０が閉状態にあるのか、開状態にあるのか、それとも、鏡２１０がマルチビュー表示部１００の表示画面の後方に折り畳まれた状態にあるのか、さらまた、鏡２１０が統一反射位置にあるのかを、センサー制御部５２で判定する。
【０１７２】
また、ステップ２ａでは、表示状態変更部１１は、制御部１２において、開閉動作センサー１３から通知された上記判定結果が、鏡２１０が閉状態にあることを意味するのか、開状態にあることを意味するのか、それとも、鏡２１０がマルチビュー表示部１００の表示画面の後方に折り畳まれた状態にあるのを意味するのかを判断する。
【０１７３】
ここで、鏡２１０が開状態であると判断されると、ステップ３ａで、鏡２１０が統一反射位置にあるのか否かを判断する。ここで、鏡２１０が統一反射位置にあると判断されると、統一反射モードが選択され、実施の形態１で説明したステップ４〜６が実行される。一方、ステップ３ａで、鏡２１０が統一反射位置にないと判断されると、開動作モードが選択され、実施の形態１で説明したステップ７〜９が実行される。さらに、上記ステップ２ａで、鏡２１０がマルチビュー表示部１００の表示画面の後方に折り畳まれた状態にあると判断されると、閉動作モードが選択され、実施の形態１で述べたステップ１０〜１２が実行される。また、鏡２１０が閉状態にあると判断された場合には、表示モードの切り替えが実行されなくてもよいし、何れかの表示モードに切り替える構成としてもよい。
【０１７４】
このように、開閉動作センサー１３により開閉動作を検知し、表示状態変更部１１が表示モードを制御することによって、ハーフミラー２００の開閉動作のみによって、前述した表示状態を自動的に切り替える表示装置が実現する。これにより、使用者は、開閉動作とは別に表示モードの選択（切り替え動作）を行う必要がない。
【０１７５】
また、本実施の形態２では、鏡２１０の開閉動作に連動して、表示装置の電源がＯＮ／ＯＦＦとなる構成としてもよい。具体的には、開動作時には、表示装置の電源をＯＮにし、閉動作時に表示装置の電源がＯＦＦとなる構成にしてもよい。
【０１７６】
このような構成とすれば、鏡２１０の開閉動作にのみで、表示状態を自動的に切り替えることができることに加えて、表示装置の電源のＯＮ／ＯＦも制御することができる。それゆえ、使用者は、開閉動作とは別に表示状態の選択（切り替え動作）に加えて、表示装置の電源のＯＮ／ＯＦＦ操作を行う必要がない。
【０１７７】
さらに、本実施の形態２では、鏡２１０を備えているが、鏡２１０に代えて、ハーフミラー２００を備える構成であってもよい。ハーフミラー２００を用いると、ハーフミラー２００がマルチビュー表示部１００の表示画面を覆う被覆位置にあるときには、画面を保護する働きがある。一方、ハーフミラー２００がマルチビュー表示部１００からの画像を反射する位置にあるときには、反射手段として利用できる。さらに、ハーフミラー２００がマルチビュー表示部１００の表示画面の後方にあるときには、ハーフミラー２００がマルチビュー表示部１００の表示画面を覆う位置にあるときに比べて、より明るい画面で視認ができる。さらに、ハーフミラー２００を用いると、ハーフミラー２００がいずれの位置にあるときにも、使用者はマルチビュー表示部１００の画面表示を視認することができる。
【０１７８】
〔実施の形態３〕
本発明のさらに他の実施の形態について、図１７〜図２２に基づいて説明すれば以下の通りである。なお、説明の便宜上、実施の形態１および２で用いた部材と同一の機能を有する部材には同一の部材番号を付記し、その説明を省略する。
【０１７９】
本実施の形態にかかる表示装置は、図１７に示すように、実施の形態１にかかる表示装置の構成に、ハーフミラー２０１をさらに加えた構成である。ハーフミラー２０１は、マルチビュー表示部１００のハーフミラー２００が接続されている辺とは対向する辺に備えられる。ハーフミラー２０１とマルチビュー表示部１００との接続は、ハーフミラー２００とマルチビュー表示部１００との接続と同じである。
【０１８０】
また、本実施の形態３において、マルチビュー表示部１００は、デュアルビュー方式の液晶ディスプレイではなく、３つ以上の表示方向それぞれに、互いに異なる３つ以上の画像を同時に表示可能なデュアルビュー方式の液晶ディスプレイである。なお、本実施の形態３においても、マルチビュー表示部１００は、液晶ディスプレイに限定されるものではなく、有機ＥＬパネルやＣＲＴ等を用いることもできる。
【０１８１】
ここでは、マルチビュー表示部１００として、３つの表示方向それぞれに、互いに異なる３つの画像を同時に表示可能なデュアルビュー方式の液晶ディスプレイを備える実施の形態について説明する。
【０１８２】
本実施の形態３では、図１７に示すように、マルチビュー表示部１００は、表示画面の正面の方向、正面から右斜め前方方向、および正面から左斜め前方方向のそれぞれの方向に、異なる画像を同時に表示する。マルチビュー表示部１００の表示画面の正面の方向に表示された画像は、そのまま使用者によって視認される。一方、正面から左斜め前方方向に表示された画像、および正面から右斜め前方方向に表示された画像は、それぞれハーフミラー２００およびハーフミラー２０１によって反射され、反射画像が使用者によって視認される。
【０１８３】
上記構成によれば、ハーフミラー２００のみを備える場合よりも、さらにワイドな画面表示の画像を視認することが可能である。
【０１８４】
また、本実施の形態３では、図１８に示すように、ハーフミラー２００およびハーフミラー２０１の後方に、遮光板７００を設ける構成としてもよい。遮光板７００を取り付ける手段は、特に限定されないが、たとえば、図１８に示すように、裏面移動接続部３１０を用いて、表示画面の後方に折り畳むように接続することができる。
【０１８５】
上記構成によれば、ハーフミラー２００の後方の光を遮ることができるので、反射画像をさらに視認しやすくする効果がある。
【０１８６】
また、ここでは、ハーフミラー２００および２０１を備える実施の形態について説明したが、本実施の形態３においても、ハーフミラー２００および２０１の代わりに、鏡２１０および２１１を用いてもよい。さらに、ハーフミラー２００および鏡２１１、ハーフミラー２０１と鏡２１０とを組み合わせる構成としてもよい。
【０１８７】
〔実施の形態４〕
本発明にかかる表示装置の利用形態について、図１９〜図２２に基づいて説明すれば以下の通りである。なお、説明の便宜上、実施の形態１〜３で用いた部材と同一の機能を有する部材には同一の部材番号を付記し、その説明を省略する。
【０１８８】
実施の形態１〜３にかかる表示装置には、図１９および図２０に示すように、選択されたチャンネルのテレビ画像信号を伝送するためのチューナー部６０（画像情報入力手段、チューナー手段）、および／または外部から入力された画像信号を表示状態変更部１１または表示状態変更部１８に伝送するための信号入力部６１（画像情報入力手段、信号入力手段）を、さらに設けることができる。
【０１８９】
なお、ここでは、画像情報入力手段として、チューナー部６０および／または信号入力部６１を挙げているが、実施の形態１〜３にかかる表示装置には、外部から画像情報を入力し、当該画像情報に基づいて上記表示手段に画像を表示させることを可能とするあらゆる画像情報入力手段を設けることができる。
【０１９０】
チューナー部６０を備えることで、実施の形態１〜３にかかる表示装置を、テレビジョン受信機として利用することができる。また、信号入力部６１を備えることで、実施の形態１〜３にかかる表示装置にかかる表示装置を、パソコンなどの画像表示モニターとして利用することができる。
【０１９１】
また、実施の形態１〜３にかかる表示装置には、図２１に示すように、マルチビュー表示部１００の下部に回転台５００（回転手段）を設けることができる。
【０１９２】
回転台５００は、その内部にベアリング（図示せず）を含み、回転台５００に対して垂直方向を回転軸として、実施の形態１〜３にかかる表示装置を自由に回転させることが可能である。例えば、実施の形態１〜３にかかる表示装置の表示画面が正面を向いている状態（図２１（ａ））から、上記回転軸に対して反時計回りにマルチビュー表示部１００を回転させることにより、実施の形態１〜３にかかる表示装置の表示画面が左を向いた状態（図２１（ｂ））にすることができる。
【０１９３】
上記構成によれば、使用者は視認に適した方向に実施の形態１〜３にかかる表示装置を回転させることが可能である。特に、ハーフミラー２００または鏡２１０を閉じた状態では、正面方向から、表示画面を視認する位置に回転させ、ハーフミラー２００または鏡２１０を開いた状態では、使用者の視認方向に対する非反射画像と、ハーフミラー２００または鏡２１０による反射画像との両方を視認できる位置に回転させることが容易に可能となる。
【０１９４】
また、回転台５００の内部にモーターを組み込み、電動で実施の形態１〜３にかかる表示装置を回転させる構成とすることもできる。さらに、回転台５００に赤外線センサーを備えるなどすることにより、実施の形態１〜３にかかる表示装置の回転をリモートコントロールする構成とすることもできる。
【０１９５】
上記構成によれば、使用者は、より容易に表示装置を回転させることができる。
【０１９６】
また、実施の形態１〜３にかかる表示装置は、情報処理装置や通信装置に広く用いることができる。特に、携帯情報端末に好適に用いることができる。ここで、携帯情報端末とは携帯電話、ＰＤＡ（Personal Digital Assistant）、携帯型ゲーム機等のことである。
【０１９７】
例えば、図２２に示すように、実施の形態１〜３にかかる表示装置を、携帯電話の画像表示部として用いることができる。なお、携帯電話であれば、外出中に表示画面を視認することも頻繁に行われ、他人の覗き見が問題となることもある。ハーフミラー２００がマルチビュー表示部１００の表示画面の前面を覆った場合に、正面方向以外からの覗き見を防止する効果も得られる。また、表示画面をハーフミラー２００で覆い、保護した状態で操作をすることも可能である。特に、携帯電話のようなモバイル機器においては、表示画面の前面を覆うようにした状態でも操作可能であることは、使用者にとっての使い勝手を向上させることができる。
【０１９８】
また、ハーフミラー２００を備える構成では、使用者は、表示装置の電源が入っているのかどうか、また、現在、どのチャンネルが表示されているのか等の表示状態を、閉状態でも確認することができる。それゆえ、携帯電話の表示部などに用いると、使用者にとっての使い勝手を向上させることができる。
【０１９９】
また、実施の形態１〜３にかかる表示装置では、表示画面を、上記反射手段で覆うことが可能である。その結果、液晶パネルの保護を強化することができる。そのため、衝撃に対する強度が求められる用途、例えば、ポケットや鞄の中にしまって持ち運ぶことが多いモバイル機器の表示部として好適に用いることができる。
【０２００】
また、上記構成では、ハーフミラー２００を、マルチビュー表示部１００の表示画面の前面を覆うように収納できるため、ハーフミラー２００が不要な際、簡単な構成で表示装置をコンパクト化することができる。
【０２０１】
さらに実施の形態１〜３にかかる表示装置は、携帯型ゲーム機に利用可能であり、限られた表示画面でワイドな画像でゲームを楽しむことができる。また、この際にハーフミラー２００または鏡２１０を表示画面の裏面に移動可能に接続すると、表示画面の裏面にある際には、タッチ入力またはペン入力させる等の直接的な操作が容易に可能となる。これによって、ハーフミラー２００または鏡２１０を表示画面の前面に折り畳んで画面を保護した状態と、ハーフミラー２００または鏡２１０により表示画像を反射させてワイドな画面で視認できる状態と、ハーフミラー２００または鏡２１０を裏面に折り畳んでタッチパネルで操作する状態とを、使用者の操作によって適宜切り替えることができる。
【０２０２】
また、実施の形態１〜３にかかる表示装置はカーナビゲーションシステムに用いることもでき、限られた表示画面を最大限有効に活用することができる。このように、本発明は、視野角制御手段を備える表示装置として、広く利用可能である。
【０２０３】
なお、本発明は、以上説示した各構成に限定されるものではなく、特許請求の範囲に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０４】
以上のように、本発明では、前述の移動配置手段を備えているため、反射手段をコンパクトにしまい込んだ状態と、反射手段によって表示手段からの画像を反射させる状態とを容易に切り替えることができるとともに、装置構成を簡素化し、かつ透過可能反射手段の採用等により、マルチビュー表示状態でも装置のコンパクト化を図ることができる。そのため、本発明は、テレビ、画像表示モニター、携帯電話、およびカーナビゲーションシステムに代表される視野角制御が可能な画像表示機能を有する各種装置やその部品を製造する分野に利用することができる。
【図面の簡単な説明】
【０２０５】
【図１】図１は、本発明の実施形態にかかる表示装置の概要を示す斜視図である。
【図２】図２（ａ）〜（ｄ）は、本発明の実施の形態にかかる表示装置の開状態時、および閉状態時の画像表示を示す図である。
【図３】図３は、本発明の実施形態にかかる表示装置のハーフミラーの構成を示す図である。
【図４】図４は、本発明の実施形態にかかる表示装置のハーフミラーの他の構成を示す図である。
【図５】図５は、本発明の実施形態にかかる表示装置の構成を示す図である。
【図６】図６は、本発明の実施形態にかかる表示装置の移動配置部の構成を示す斜視図である。
【図７】図７（ａ）〜（ｆ）は、本発明の実施形態にかかる表示装置の開閉動作を示す図である。
【図８】図８（ａ）および（ｂ）は、本発明の実施形態にかかる表示装置のマルチビュー表示部の画面表示を示す図である。
【図９】図９は、本発明の実施形態にかかる表示装置の表示パネルの構成を示す図である。
【図１０】図１０は、本発明の実施形態にかかる表示装置の構成を示すブロック図である。
【図１１】図１１は、本発明の実施形態にかかる表示装置の動作を示すフローチャートである。
【図１２】図１２は、本発明の実施形態にかかる表示装置の構成を示すブロック図である。
【図１３】図１３は、本発明の実施形態にかかる表示装置の開閉動作センサーの構成を示すブロック図である。
【図１４】図１４は、本発明の実施形態にかかる表示装置の動作を示すフローチャートである。
【図１５】図１５（ａ）は、第２画像のハーフミラーによる反射状態、および第２画像のハーフミラーからの透過状態を示す図である。図１５（ｂ）は、指向性バックライトを備える表示パネルの構成を示す図である。
【図１６】図１６（ａ）〜（ｃ）は、本発明の実施形態にかかる表示装置の裏面移動接続部の構成を示すとともに、当該表示装置の開閉動作を示す図である。
【図１７】図１７は、本発明の実施形態にかかる表示装置の構成を示す図である。
【図１８】図１８は、本発明の実施形態にかかる表示装置の構成を示す図であって、遮光板を備える構成を示す図である。
【図１９】図１９は、本発明の実施形態にかかる表示装置の構成を示すブロック図であって、チューナー部を備える構成を示すブロック図である。
【図２０】図２０は、本発明の実施の形態にかかる表示装置の構成を示すブロック図であって、信号入力部を備える構成を示すブロック図である。
【図２１】図２１は、本発明の実施形態にかかる表示装置を示す図であって、回転台を備える構成を示す図である。
【図２２】図２２は、本発明の実施形態にかかる表示装置を備える携帯電話の構成を示す図である。
【図２３】図２３は、本発明にかかる実施形態にかかる表示装置の開閉動作センサーの構成を示す図である。
【符号の説明】
【０２０６】
１１              表示状態変更部
１２              制御部
１３              開閉動作センサー（位置検出手段）
１４              バス
１５              第１通信部
１６              第２通信部
１８              表示状態変更部（表示状態変更手段）
５１              検知部
５２              センサー制御部
５３              センサー通信部
６０              チューナー部（画像情報入力手段、チューナー手段）
６１              信号入力部（画像情報入力手段、信号入力手段）
７０              拡大表示処理部（画像処理手段、拡大表示処理手段）
７１              鏡像反転処理部（画像処理手段、鏡像反転処理手段）
７２              単画面表示処理部（画像処理手段、単画面表示処理手段）
１００            マルチビュー表示部（表示手段）
２００            ハーフミラー（反射手段、透過可能反射手段）
２１０            鏡（反射手段）
３００            移動配置部（移動配置手段）
３１０            裏面移動接続部（移動配置手段）
５００            回転台（回転手段）
Ａ３１            ヒンジ部材
Ａ３１１〜３１４  ヒンジ部材
Ｂ３２            ヒンジ部材
Ｂ３２１〜３２４  ヒンジ部材
【図１】
2007298838.tif 000003
【図２】
2007298838.tif 000004
【図３】
2007298838.tif 000005
【図４】
2007298838.tif 000006
【図５】
2007298838.tif 000007
【図６】
2007298838.tif 000008
【図７】
2007298838.tif 000009
【図８】
2007298838.tif 000010
【図９】
2007298838.tif 000011
【図１０】
2007298838.tif 000012
【図１１】
2007298838.tif 000013
【図１２】
2007298838.tif 000014
【図１３】
2007298838.tif 000015
【図１４】
2007298838.tif 000016
【図１５】
2007298838.tif 000017
【図１６】
2007298838.tif 000018
【図１７】
2007298838.tif 000019
【図１８】
2007298838.tif 000020
【図１９】
2007298838.tif 000021
【図２０】
2007298838.tif 000022
【図２１】
2007298838.tif 000023
【図２２】
2007298838.tif 000024
【図２３】
2007298838.tif 000025